(57)【要約】【課題】廃棄用テープを過度に伸長させることなく、廃棄用テープを引き伸ばすことができるパンツ型使い捨ておむつを提供すること。【解決手段】おむつ１の外面に廃棄用テープ１０が設けられている。廃棄用テープ１０は固定部１２と伸長部１５と止着部１８とが、この順で廃棄用テープ１０の長手方向Ｘ１に沿って配置され、この順で積層された三つ折り状態になっている。三つ折り状態になっている廃棄用テープ１０は、止着部１８と伸長部１５との間が剥離可能に接合されているとともに、伸長部１５と固定部１２との間も剥離可能に接合されている。伸長部１５は、三つ折り状態を解除した展開状態において廃棄用テープの長手方向Ｘ１に伸長可能である。伸長部１５は伸長開始後、破断する前に色の変化が生じるようになされている。【選択図】図６
2020168511.tif 000002
【特許請求の範囲】
【請求項１】
ウエスト開口部及び一対のレッグ開口部を有し、着用状態において着用者の腹側に配される腹側部、股間部に配される股下部及び背側に配される背側部を備えたパンツ型使い捨ておむつであって、
前記使い捨ておむつの外面に、廃棄用テープが設けられており、
前記廃棄用テープは、前記使い捨ておむつの外面に固定されている固定部と、伸長部と、止着部とが、この順で該廃棄用テープの長手方向に沿って連結されているとともに、この順で積層された三つ折り状態になっており、
三つ折り状態になっている前記廃棄用テープは、前記止着部と前記伸長部との間が剥離可能に接合されているとともに、前記伸長部と前記固定部との間も剥離可能に接合されており、
前記伸長部は、三つ折り状態を解除した展開状態において前記廃棄用テープの長手方向に伸長可能であり、
前記伸長部は伸長開始後、破断する前に色の変化が生じるようになされており、
前記伸長部は、伸長が刺激となって色が変化する材質で形成されているか、又は伸長に伴って着色を有する着色部の配置若しくは面積率が変化するパターンで着色が施されており、
前記伸長部は、引張強度が該伸長部の破断強度の７０％に達するまでに前記色の変化が生じる、パンツ型使い捨ておむつ。
【請求項２】
前記伸長部が伸長を開始する引張強度が６．５Ｎ以下であり、
前記伸長部は、引張強度が１３Ｎに達するまでに前記色の変化が生じる、請求項１に記載のパンツ型使い捨ておむつ。
【請求項３】
前記伸長部は１５０ｍｍ以上に伸長可能であり、
前記伸長部は、伸長長さが１２０ｍｍに達するまでに前記色の変化が生じる、請求項１又は２に記載のパンツ型使い捨ておむつ。
【請求項４】
前記伸長部の伸長過程を、伸長開始から最大長さの２／３に伸長する第１段階と、該最大長さの２／３から該最大長さに伸長する第２段階とに区分したときに、該第２段階は、前記第１段階より前記色の変化量が大きい、請求項１〜３の何れか１項に記載のパンツ型使い捨ておむつ。
【請求項５】
前記伸長部は、伸長前の長さの４倍以上の長さに伸長可能であり、該伸長部の伸長過程を、伸長開始から伸長前の長さの３倍の長さに伸長する３倍伸長段階と、伸長前の長さの３倍の長さから４倍の長さに伸長する４倍伸長段階とに区分したときに、該４倍伸長段階は、前記３倍伸長段階より前記色の変化量が大きい、請求項１〜４の何れか１項に記載のパンツ型使い捨ておむつ。
【請求項６】
前記色の変化が生じた前記伸長部と前記外面との色の差が、前記色の変化が生じる前の前記伸長部と前記外面との色の差より大きい、請求項１〜５の何れか１項に記載のパンツ型使い捨ておむつ。
【請求項７】
前記色の変化が生じる前の前記伸長部は、前記外面における前記固定部の近傍と色が同一又は類似している、請求項１〜６の何れか１項に記載のパンツ型使い捨ておむつ。
【請求項８】
前記止着部の前記伸長部が連結された側とは反対側の端部に、摘まみ片が連結しており、
前記色の変化が生じた前記伸長部は、前記固定部、前記止着部又は前記摘まみ片の色と同一又は類似している、請求項１〜７の何れか１項に記載のパンツ型使い捨ておむつ。
【請求項９】
ウエスト開口部及び一対のレッグ開口部を有し、着用状態において着用者の腹側に配される腹側部、股間部に配される股下部及び背側に配される背側部を備えたパンツ型使い捨ておむつであって、
前記使い捨ておむつの外面に、廃棄用テープが設けられており、
前記廃棄用テープは、前記使い捨ておむつの外面に固定されている固定部と、伸長部と、止着部とが、この順で該廃棄用テープの長手方向に沿って連結されているとともに、この順で積層された三つ折り状態になっており、
三つ折り状態になっている前記廃棄用テープは、前記止着部と前記伸長部との間が剥離可能に接合されているとともに、前記伸長部と前記固定部との間も剥離可能に接合されており、
前記伸長部は、三つ折り状態を解除した展開状態において前記廃棄用テープの長手方向に伸長可能であり、
前記伸長部は伸長開始後、破断する前に所定の変化が生じるようになされており、
前記所定の変化は、前記伸長部の伸長前では形状を知覚できなかった図形が、該伸長部の伸長によって所定の形状に知覚可能となるか、又は前記伸長部の伸長前では認識できなかった記号が、該伸長部の伸長によって所定の記号に認識可能となるものであり、
前記伸長部は、引張強度が該伸長部の破断強度の７０％に達するまでに、前記所定の変化が生じる、パンツ型使い捨ておむつ。
【請求項１０】
前記伸長部が伸長を開始する引張強度は、前記使い捨ておむつと前記固定部との間の剥離強度より低い、請求項１〜９の何れか１項に記載のパンツ型使い捨ておむつ。
【請求項１１】
前記固定部は、前記使い捨ておむつの周縁域に位置する低剛性領域よりも内側に位置する高剛性領域に配されている、請求項１〜１０の何れか１項に記載のパンツ型使い捨ておむつ。
【請求項１２】
前記腹側部から前記股下部を介して前記背側部に延びる方向を縦方向、及び該縦方向に直交する方向を横方向としたときに、前記使い捨ておむつは、前記縦方向に伸縮する伸縮部を有しており、
前記廃棄用テープは、前記背側部に設けられており、且つ前記固定部の前記股下部側の端部が、前記縦方向において、前記伸縮部より前記ウエスト開口部の開口端側に位置している、請求項１〜１１の何れか１項に記載のパンツ型使い捨ておむつ。
【発明の詳細な説明】
【技術分野】
【０００１】
本発明は、廃棄用テープを備えたパンツ型使い捨ておむつに関する。
【背景技術】
【０００２】
使い捨ておむつの廃棄を容易に且つ衛生的に行う観点から、おむつを巻き上げた状態に維持し得る廃棄用テープを備えたおむつが知られている。例えば、特許文献１には、後見頃に後処理テープが固定され、該後処理テープは、止着部のテープファスナー基材の先端部の粘着剤層側面に、有色の摘みタブ部を有し、該テープファスナー基材を介して摘みタブ部の存在が視認可能である、パンツ型おむつが記載されている。
【０００３】
また、特許文献２には、隣接した第１及び第２のテープタブ要素と、２つの端部間の中間部分を有する塑性変形可能の伸長可能なフィルムとを備え、該フィルムの一方の端部は第１のテープタブ要素の第１表面に、該フィルムの他方の端部は第２のテープタブの第１表面に結合されてなる、積層使い捨てテープタブが記載されている。また、特許文献２には、伸長可能なフィルムについて、塑性的変形を受ける程度の可視指示を提供し得るように、該フィルムに着色を施すことや、該フィルムを被覆する部位にデザインを施すことが記載されており、これにより過剰延伸を回避できることも記載されている。
【先行技術文献】
【特許文献】
【０００４】
【特許文献１】特開２００１−２５８９３８号公報
【特許文献２】特表２００９−５０７５７０号公報
【発明の概要】
【発明が解決しようとする課題】
【０００５】
伸長可能な部分を有する廃棄用テープは、巻き上げた状態のおむつに容易に巻き付けることができる反面、過度に伸長させると破断することがある。そのため、廃棄用テープを用いておむつを廃棄形態にする作業者は、該廃棄用テープが破断する不安から、廃棄用テープを十分に伸長させずに用いることがあった。また、廃棄用テープの伸長過程において、破断を起こしてしまう程、過度に廃棄用テープを伸長させてしまうことがあった。
特許文献１は、廃棄用テープの伸長について何ら記載されていない。
特許文献２では、テープタブを、巻き上げたおむつの外周に巻き付ける程度に長く伸長させることは想定されていない。即ち、特許文献２に記載のように伸長可能な部分に着色を施したり、伸長可能な部分を被覆する部位にデザインを施したとしても、伸長可能な部分を長く伸長させる場合では、該部分の伸長の多寡を確実に把握することは困難であり、前記テープタブを過度に伸長させる虞がある。
【０００６】
本発明の課題は、前述した従来技術が有する欠点を解消し得るパンツ型使い捨ておむつを提供することにある。
【課題を解決するための手段】
【０００７】
本発明は、ウエスト開口部及び一対のレッグ開口部を有し、着用状態において着用者の腹側に配される腹側部、股間部に配される股下部及び背側に配される背側部を備えたパンツ型使い捨ておむつであって、前記使い捨ておむつの外面に、廃棄用テープが設けられており、前記廃棄用テープは、前記使い捨ておむつの外面に固定されている固定部と、伸長部と、止着部とが、この順で該廃棄用テープの長手方向に沿って連結されているとともに、この順で積層された三つ折り状態になっており、三つ折り状態になっている前記廃棄用テープは、前記止着部と前記伸長部との間が剥離可能に接合されているとともに、前記伸長部と前記固定部との間も剥離可能に接合されており、前記伸長部は、三つ折り状態前記伸長部及び前記固定部から剥離した状態において前記廃棄用テープの長手方向に伸長可能であり、前記伸長部は伸長開始後、破断する前に色の変化が生じるようになされている、パンツ型使い捨ておむつを提供するものである。
【発明の効果】
【０００８】
本発明によれば、廃棄用テープを過度に伸長させることなく、廃棄用テープを引き伸ばすことができる。
【図面の簡単な説明】
【０００９】
【図１】図１は、本発明のパンツ型使い捨ておむつの一実施形態を示す斜視図である。
【図２】図２は、図１に示すパンツ型使い捨ておむつの展開且つ伸長状態における肌対向面側を模式的に示す展開平面図である。
【図３】図３は、図１に示すパンツ型使い捨ておむつの廃棄形態を示す斜視図である。
【図４】図４は、図１に示すパンツ型使い捨ておむつに設けられた廃棄用テープの構造を示す断面図である。
【図５】図５は、図１に示すパンツ型使い捨ておむつの廃棄用テープを伸長させる様子を示す斜視図である。
【図６】図６（ａ）及び（ｂ）は、本発明に係る伸長部に色の変化が生じるようになされている態様の一例を示す模式図である。
【図７】図７（ａ）及び（ｂ）は、別の態様を示す図６相当図である。
【図８】図８（ａ）及び（ｂ）は、さらに別の態様を示す図６相当図である。
【図９】図９は、本発明に係る廃棄用テープの配置例を示す斜視図である。
【発明を実施するための形態】
【００１０】
以下本発明を、その好ましい実施形態に基づき図面を参照しながら説明する。図１には、本発明に係るパンツ型使い捨ておむつの一実施形態が示されている。同図に示すパンツ型使い捨ておむつ１（以下、単に「おむつ１」とも言う。）は、着用者の下腹部に装着されて使用される着用物品の一種である。
【００１１】
おむつ１は、図１に示すように、並びに着用者の胴が通されるウエスト開口部１Ｗ、及び着用者の下肢が通される一対のレッグ開口部１Ｌ，１Ｌを有するパンツ型使い捨ておむつとなっている。
おむつ１は、表面シート、裏面シート、及び吸収性本体４と、吸収性本体４の非肌対向面側に配された外装体５とを備えている。外装体５は、おむつ１の非肌対向面、即ちおむつ１の外面を形成している。
【００１２】
本明細書において、「肌対向面」は、吸収性物品であるおむつ１又はその構成部材（例えば表面シート２）における、着用時に着用者の肌側に向けられる面、即ち相対的に着用者の肌に近い側であり、「非肌対向面」は、おむつ１又はその構成部材における、着用時に肌側とは反対側（着衣側）に向けられる面、即ち相対的に着用者の肌から遠い側である。尚、ここでいう「着用時」は、通常の適正な着用位置、即ち当該おむつ１の正しい着用位置が維持された状態を意味する。
【００１３】
おむつ１は、着用状態において着用者の腹側に配される腹側部Ａ、股間部に配される股下部Ｃ、及び着用者の背側に配される背側部Ｂを備えている。おむつ１は、腹側部Ａ及び背側部Ｂそれぞれにおける外装体５の縦方向Ｘに沿う両側縁部どうしが、接着剤、ヒートシール、超音波シール等の公知の接合手段によって互いに接合されている。これにより、前述のウエスト開口部１Ｗ、及び一対のレッグ開口部１Ｌ，１Ｌを形成する。
【００１４】
図２に、展開且つ伸長状態のおむつ１を示す。おむつ１の「展開且つ伸長状態」とは、腹側部Ａ及び背側部Ｂそれぞれの外装体５の縦方向Ｘに沿う両側縁部を接合した状態から切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１５】
おむつ１は、腹側部Ａから股下部Ｃを介して背側部Ｂに延びる方向に対応する縦方向Ｘと、該おむつ１を図２に示すように平面状に広げた状態において、該縦方向Ｘと直交する横方向Ｙとを有している。縦方向Ｘは、吸収性本体４の長手方向と一致している。おむつ１は、図２に示すように、縦方向Ｘに延びる、該おむつ１を横方向Ｙに２等分する縦方向中心線ＣＬに対して左右対称に形成されている。
おむつ１における吸収性本体４は、肌対向面側に表面シート２と、非肌対向面側に裏面シート３とを有し、これら両シート２，３間に吸収体４０を有している。吸収体４０は、表面シート２、裏面シート３及び吸収体４０は、少なくとも股下部Ｃの全域に位置するとともに、股下部Ｃから縦方向Ｘに沿って腹側部Ａ及び背側部Ｂの少なくとも一部にまでわたって延在している。おむつ１において吸収体４０は、液保持性の吸収性コア４１と該吸収性コア４１を被覆するコアラップシート４２とを含んで構成されているが、吸収体４０はコアラップシートを含んでいなくともよい。
【００１６】
おむつ１は、図２に示すように、縦方向Ｘに沿う吸収性本体４の両側部それぞれに、該縦方向Ｘに沿って延びる防漏カフ６，６を備えている。防漏カフ６，６は、吸収性本体４の縦方向Ｘの全長に亘って連続する撥水性のカフ形成用シート６１と、カフ形成用シート６１の横方向Ｙの内方側に縦方向Ｘに伸長状態で固定された１本又は複数本のカフ弾性部材６２とを含んで構成されている。防漏カフ６，６は、縦方向Ｘに延びるカフ固定部（不図示）を介して表面シートに固定されている。防漏カフ６，６は、カフ弾性部材６２を有することで、肌対向面側に起立する。
【００１７】
外装体５、吸収性本体４に含まれる表面シート２、裏面シート３及び吸収体４０、並びに防漏カフ６，６等のおむつ１の構成部材に用いられる材料としては、当該技術分野においてこれまで用いられてきたものと同様のものを特に制限なく用いることができる。
【００１８】
おむつ１の背側部Ｂには、図１に示すように、廃棄用テープ１０が設けられている。廃棄用テープ１０は、おむつ１の廃棄形態を維持するために用いられるものである。廃棄用テープ１０は、おむつ１の背側部Ｂにおける横方向Ｙの略中央部に位置している。また廃棄用テープ１０は、その長手方向がおむつ１の縦方向Ｘに一致するように設けられている。
【００１９】
図３には、廃棄するときのおむつ１の廃棄形態が示されている。おむつ１を廃棄するときには、図１に示すおむつ１において腹側部Ａが内向きになるように、おむつ１を股下部Ｃからウエスト開口部１Ｗに向けて巻き上げていき、図３に示す巻き上げ形態を作る。巻き上げ形態のおむつ１では、背側部Ｂに設けられている廃棄用テープ１０が、巻き上げたおむつ１の外側に露出している。廃棄用テープ１０は、後述するように該テープ１０の長手方向に伸長された後、巻き上げられて廃棄形態となったおむつ１の外周に巻き付けられ、おむつ１を廃棄形態に維持する。
【００２０】
廃棄用テープ１０は、主として３つの部位から構成されている。具体的には、廃棄用テープ１０は、固定部１２と、伸長部１５と、止着部１８とから構成されている。これら３つの部位は、この順で廃棄用テープ１０の長手方向Ｘ１に沿って配置されている。またこれら３つの部位は、この順で積層された三つ折り状態になっている。図４に、三つ折り状態になっている廃棄用テープ１０の断面構造を示す。固定部１２と伸長部１５との間には他の部材は介在しておらず、両者は直接に連設されている。同様に、伸長部１５と止着部１８との間にも他の部材は介在しておらず、両者は直接に連設されている。
【００２１】
廃棄用テープ１０における固定部１２は、固定部用シート片１３を有している。固定部用シート片１３は、第１面１３ａ及び第２面１３ｂを有している。三つ折り状態になっている廃棄用テープ１０において固定部用シート片１３は、後述する折り返し部１３’を除いて、第１面１３ａが伸長部１５と対向し、第２面１３ｂがおむつ１の外面と対向している。また固定部１２は固定部用粘着部１４を有している。固定部用粘着部１４は、固定部用シート片１３の第２面１３ｂに設けられている。固定部１２は、固定部用粘着部１４によって、おむつ１における背側部Ｂの外面に固定されている。この固定部用粘着部１４を介して、廃棄用テープ１０は、おむつ１における背側部Ｂの外面に着脱不能に固定されている。廃棄用テープ１０をおむつ１の外面に固定する方法としては、ホットメルト型接着剤等の接着剤、融着等の公知の方法を用いることができる。
【００２２】
廃棄用テープ１０における伸長部１５は、該廃棄用テープ１０に引張力が加わったときに比較的弱い引張力で容易に伸長し、廃棄用テープ１０の長さを増加させる部位である。伸長部１５は伸長部用シート片１６を有している。伸長部用シート片１６は、先に述べた固定部用シート片１３と同じ長さであってもよく、異なる長さであってもよい。また、伸長部用シート片１６は、固定部用シート片１３と同じ幅であってもよく、異なる幅であってもよい。伸長部用シート片１６は、第１面１６ａ及び第２面１６ｂを有している。三つ折り状態になっている廃棄用テープ１０において伸長部用シート片１６は、後述する折り返し部１６’を除いて、第１面１６ａが止着部１８と対向し、第２面１６ｂが固定部１２と対向している。また伸長部１５は伸長部用粘着部１７を有している。伸長部用粘着部１７は、伸長部用シート片１６の第２面１６ｂに設けられている。伸長部用粘着部１７は、三つ折り状態になっている廃棄用テープ１０における伸長部１５と固定部１２との間を剥離可能に接合するものである。したがって伸長部用粘着部１７は、低粘着性の粘着剤から構成されていることが好ましい。
【００２３】
先に述べた固定部１２は、固定部用シート片１３は、廃棄用テープ１０の長手方向Ｘ１における一端が伸長部１５側に折り返された折り返し部１３’を有している。そして折り返し部１３’が、伸長部１５における伸長部用シート片１６の一端と第２面１６ｂの側で接合されている。これによって、固定部１２と伸長部１５とは直接に連設されている。固定部１２と伸長部１５とを連設する方法としては、ホットメルト型接着剤等の接着剤、融着等の公知の方法を用いることができる。
【００２４】
廃棄用テープ１０における止着部１８は、おむつ１の外面における任意の位置に止着可能になっており、おむつ１の廃棄形態を廃棄用テープ１０で維持するときに、おむつ１の外面に止着される部位である。止着部１８は廃棄用テープ１０の先端域を形成しており、止着部用シート片１９を有している。止着部用シート片１９は、固定部用シート片１３又は伸長部用シート片１６と同じ長さであってもよく、異なる長さであってもよい。また、止着部用シート片１９は、固定部用シート片１３又は伸長部用シート片１６と同じ幅であってもよく、異なる幅であってもよい。止着部用シート片１９は、第１面１９ａ及び第２面１９ｂを有している。三つ折り状態になっている廃棄用テープ１０において止着部用シート片１９は、第２面１９ｂが伸長部１５と対向している。また止着部１８は止着部用粘着部２０を有している。止着部用粘着部２０は、止着部用シート片１９の第２面１９ｂに設けられている。止着部用粘着部２０は、三つ折り状態になっている廃棄用テープ１０における止着部１８と伸長部１５との間を剥離可能に接合し、且つ止着部１８をおむつ１の外面における任意の位置に確実に止着するものである。この観点から止着部用粘着部２０の粘着性の程度が決定されることが好ましい。
【００２５】
先に述べた伸長部１５における伸長部用シート片１６は、その長手方向Ｘ１における一端が止着部１８側に折り返されて折り返し部１６’が形成されている。そして折り返し部１６’が、止着部１８における止着部用シート片１９の一端と第２面１９ｂの側で接合されている。これによって、伸長部１５と止着部１８とは直接に連設されている。伸長部１５と止着部１８とを連設する方法としては、ホットメルト型接着剤等の接着剤、融着等の公知の方法を用いることができる。
また、止着部１８における止着部用シート片１９の他端には、第２面１９ｂ側に摘まみ片２１が接合されている。摘まみ片２１は、止着部用シート片１９とは別体のシート片である。
【００２６】
以上のとおり３つの部位から構成される廃棄用テープ１０は、Ｚ字状に三つ折りされている（図４参照）。そして、三つ折り状態になっている廃棄用テープ１０における自由端、すなわち止着部１８における摘まみ片２１の取り付け部位が、おむつ１におけるウエスト開口部１Ｗ側を向くように、廃棄用テープ１０はおむつ１の背側部Ｂに取り付けられている。
【００２７】
おむつ１を巻き上げた状態に維持する際、廃棄用テープ１０は、前記三つ折り状態から、該三つ折り状態を解除した展開状態にされる。ここで、「三つ折り状態を解除した展開状態」とは、廃棄用テープ１０の伸長部１５と固定部１２との間を剥離し、且つ伸長部１５と止着部１８との間を剥離して、三つ折り状態の廃棄用テープ１０を直線状に展開した状態を意味する。以下、「三つ折り状態を解除した展開状態」を単に「展開状態」ともいう。
展開状態において廃棄用テープ１０は、伸長部１５の一方の端部に止着部１８を、該伸長部１５の他方の端部に固定部１２を有し、止着部１８、伸長部１５及び固定部１２が直線状に並んで配置されている。
伸長部１５は、三つ折り状態を解除した展開状態において廃棄用テープ１０の長手方向Ｘ１に伸長可能である。展開状態において、廃棄用テープ１０は、人の力によって引き伸ばすことができる。例えば、止着部１８を指等で把持して、廃棄用テープ１０の長手方向Ｘ１に引き伸ばすことにより、伸長部１５を伸長させることができる（図５参照）。
【００２８】
伸長部１５を伸長させる過程について説明する。伸長部１５は、伸長開始後、該伸長部の破断時まで伸長し続ける。ここで、伸長部１５の「伸長開始」とは、下記の〔伸長部を伸長させる方法〕により伸長部１５を伸長させる過程において、引張強度が第一極大点を示した時点を意味し、伸長部１５の「破断時」とは、前記の伸長させる過程において、破断強度を示した時点を意味する。以下、伸長部１５の「伸長開始後、破断する前」の過程を「伸長過程」ともいい、特に断りのない限り、伸長部を以下の方法により伸長させる。
【００２９】
〔伸長部を伸長させる方法〕
三つ折り状態の廃棄用テープについて、伸長部を固定部から剥離し、三つ折り状態を解除した展開状態にする。次いで、廃棄用テープの長手方向を引張方向に一致させ、チャック間距離を１０ｍｍとして、伸長部を引張試験機（例えば株式会社  島津製作所社製、機種「AUTOGRAPH  AG-X」）のチャックに取り付ける。伸長部は、隣接する止着部又は固定部との接合箇所を避け、これら両接合箇所間の部分にチャックに取り付ける。次いで、伸長部を３００ｍｍ／ｍｉｎの速度で引っ張り、その伸長過程における、引張距離に伴なって変化する引張強度（Ｎ）を測定する。この伸長過程において、引張強度の第一極大点を示した時点を伸長部の「伸長開始」時とする。第一極大点は、測定される引張強度（Ｎ）の曲線において、最初に現れる極大点である。第一極大点が明確に判らない場合や、観察されない場合は伸度３０％から７０％間の伸長時の最大荷重を第一極大点強度とみなす。また、引張距離に伴なって変化する引張強度の最大値を破断強度とし、該破断強度を示した時点を伸長部の「破断時」とし、破断時の伸度を「伸度１００％」とする。
【００３０】
おむつ１は、伸長過程において伸長部１５が、色の変化が生じるようになされている。即ち、伸長部１５は、伸長開始前の色と、伸長開始から破断するまでの間の色とが異なるようになされている。
おむつ１は、幼児の保護者や介護者等のおむつ１を廃棄形態にする作業者が、止着部１８等を指等で把持して、廃棄用テープ１０をその長手方向Ｘ１に引っ張ることにより、伸長部１５を伸長させることができ、おむつ１に容易に巻き付けることができる。伸長部１５を伸長可能に構成した従来の廃棄用テープを用いた場合は、伸長部１５を過度に伸長させることによって破断が生じて、廃棄形態を維持できなくなることがある。
これに対して、おむつ１においては、伸長開始後から破断するまでの過程において、伸長部１５がある程度伸長した際に、伸長部１５に色の変化が生じるようになされているため、例えば、伸長部１５に色の変化が生じた場合にはそれ以上伸長させるべきではないことを作業者に認識させる情報を与えることで、作業者が、伸長部１５を過度に伸長させて該伸長部を破断させることを防止することができる。
これにより、作業者は、伸長部１５を過度に伸長させることなく、また破断の不安なく、廃棄用テープを十分に伸長させることができる。そのため、巻き上げたおむつに廃棄用テープを容易に巻き付ける作業性に優れる。
「それ以上伸長させるべきではないことを作業者に認識させる情報」は、例えば「色が変わったらそれ以上伸ばさないでください」との文章であり、文章でも記号でもそれらの組み合わせ等であっても良く、そのような情報は、例えば、おむつの構成部材やおむつのパッケージ、おむつに関する広告やホームページに表示する。
【００３１】
色の変化を人が視覚的に知覚し易くする観点から、伸長部１５の色の変化は、下記条件（１）又は下記条件（２）を満たすことが好ましい。
条件（１）；伸長開始前の伸長部１５と、伸長過程における伸長部１５とのヘイズ値（ＪＩＳ  Ｋ７１０５）の差が２０以上である。
条件（２）；伸長開始前の伸長部１５と、伸長過程における伸長部１５との色差（ΔＥ＊値）が５以上である。
【００３２】
条件（１）のヘイズ値は下記の方法により測定する。
〔ヘイズ値の測定方法〕
ヘイズ値は、市販のヘイズメーター、例えば日本電色工業株式会社社製、機種ＮＤＨ５０００を用いて、ＪＩＳ  Ｋ７１０５に準拠して測定され、下記式（１）により計算される。
Ｈ  ＝  （Ｔｄ／Ｔｔ）×１００・・・（２）
ここで、Ｈはヘイズ値（％）、Ｔｄは拡散透過率（％）、Ｔｔは全光線透過率（％）である。なお、測定は、伸長開始前の測定位置と伸長過程の測定位置とが重なるように行う。測定は１０回行い、その平均を測定値とする。
ヘイズ値は、透明性の程度を表す指標であるが、本発明においては色の変化の大きさを示す指標の一つとして用いる。
【００３３】
条件（２）の色差（ΔＥ＊値）は下記の方法により測定する。
〔色差（ΔＥ＊値）の測定方法〕
色差計としては、日本電色工業株式会社製の簡易型分光色差計ＮＦ３３３（商品名）等を用いることができる。ＪＩＳ  Ｚ  ８７２９に規定する「Ｌ＊ａ＊ｂ＊表色系」では、Ｌ＊は明るさを、ａ＊、ｂ＊は色の方向を示しており、ａ＊は略赤方向、−ａ＊は略緑方向、ｂ＊は略黄色方向、−ｂ＊は略青方向を示している。そして、ΔＥ＊は、下記式（２）で求められる値である。
ΔＥ＊＝[（ΔＬ＊）２＋（Δａ＊）２＋（Δｂ＊）２]１／２・・・（２）
ここで、ΔＬ＊、Δａ＊、Δｂ＊は、それぞれ、２色間のＬ＊値、ａ＊値、ｂ＊値の差である。例えばΔＬ＊は、ΔＬ＊＝Ｌ＊２−Ｌ＊１により計算される。
上記簡易型分光色差計ＮＦ３３３による計測方法においては、ステープラータイプにてφ４ｍｍのＮＤ１１０センサーを取り付けておき、該センサーの先端部にはＯリング（小）を用い、光源Ｃ／２、視野角２°で計測する。
測定は、展開状態の廃棄用テープを引き伸ばす際に伸長部の作業者から目視される側の面が上となるように白色の紙の上に廃棄用テープを載せ、該目視される側の面にセンサーの先端部を接触させ、該伸長部とセンサー先端部との間に隙間が生じないように押し当てて計測する。廃棄用テープが載せられる白色の紙は、Ｌ*ａ*ｂ*表色系におけるＬ＊値が
９０〜１００、ａ＊値が−１〜＋１、ｂ＊値が−１〜＋１である。なお、測定は、伸長開始前の測定位置と伸長過程の測定位置とが重なるように行う。また、伸長部１５が着色を有する着色部と、着色を有しない白色又は透明である非着色部を有する場合、着色部の位置で測定を行う。測定は１０回行い、その平均を測定値とする。
【００３４】
伸長部１５に色の変化が生じたか否かは、前述のヘイズ値又は色差（ΔＥ＊値）を所定値以上とする要件を満たすか否かにより判断することが好ましい。即ち、好ましくはヘイズ値の差が２０以上であること〔条件（１）〕、及び色差（ΔＥ＊値）が５以上であること〔条件（２）〕の何れか一方のみを満たすことをもって、より好ましくは色差（ΔＥ＊値）が５以上であること〔条件（２）〕を満たすことをもって、伸長部１５に色の変化が生じたと判断する。伸長部における色の変化は、ヘイズ値及び色差（ΔＥ＊値）の双方の条件を満たしてもよい。
【００３５】
伸長部１５は、前述の通り、伸長開始前と伸長過程とで伸長部１５に色の変化が生じるようになされている。色の変化が生じるようにする構成、好ましくはある程度伸長させた後に色の変化が生じるようにする構成としては、伸長部を構成する部材として、色が変化する材質のものを用いる方法（以下「一次加工方法」という）や、伸長部を構成する部材として、二次加工により色が変化するようにした部材を用いる方法（以下「二次加工方法」という）等が挙げられる。
【００３６】
一次加工方法としては、伸長が刺激となって色が変化する材質を用いることが好ましい。そのような材質としては、例えば凝集状態と分散状態とで発光色が異なる蛍光染料をポリエステル樹脂に練り込んだポリエステル素材が挙げられる。係るポリエステル素材は、伸長開始前では蛍光染料が凝集状態であるが、伸長に伴って蛍光染料が分散状態となることにより、伸長開始前と伸長過程とで蛍光染料の発色が異なる。また、前記材質として、例えばコロイドフォトニック結晶をエラストマー系の弾性樹脂中に分散させたシートが挙げられる。このシートは、伸長に応じてコロイドフォトニック結晶の屈折率又は格子間隔が変調することにより、伸長開始前と伸長過程とでシートの色が異なる。さらに、前記材質として、例えばマイクロカプセル化した発色剤と、顕色剤とが塗工された伸長可能なシートが挙げられる。このシートは、伸長されることで圧力が加えられるとマイクロカプセルが破壊され、該マイクロカプセルから放出された発色剤と顕色剤とが反応し、所定の色に発色するものである。
【００３７】
二次加工方法としては、伸長に伴って着色を有する着色部の配置や面積率が変化するパターンで着色された部材を用いることが好ましい。このようなパターンの例を、図６〜図８に示す。また、着色部の面積率とは、単位面積（１ｍｍ２）当たりの着色部の面積の割合である。
図６（ａ）及び（ｂ）に示すパターンは、伸長前よりも伸長過程における着色部の色味が濃くなるパターンである。図６（ａ）及び（ｂ）に示すパターンでは、着色部が長手方向Ｘ１に延びており、該着色部と着色されていない非着色部とが、長手方向Ｘ１に直交する幅方向Ｙ１に交互に並んで配されている。また、図６（ａ）に示す着色部は、長手方向Ｘ１に連続して延びており、図６（ｂ）に示す着色部は、長手方向Ｘ１に間欠的に延びている。
図６（ａ）及び（ｂ）に示すパターンでは、伸長部１５が長手方向Ｘ１に伸長することで、幅方向Ｙ１の長さが縮む。これにより、幅方向Ｙ１に間欠的に並ぶ着色部どうしが寄り集まった配置となり、着色部の面積率が伸長前よりも高くなる。その結果、着色部の色味が伸長前よりも濃く知覚される。
【００３８】
図７（ａ）及び（ｂ）に示すパターンは、伸長前よりも伸長過程における着色部の色味が薄くなるパターンである。図７（ａ）に示すパターンでは、ある程度の大きさの着色部を有している。図７（ｂ）に示すパターンでは、着色部と着色されていない非着色部とが、幅方向Ｙ１に交互に並んで配されている。
図７（ａ）に示すパターンでは、伸長部１５の伸長に伴い、着色部が伸展されることで、着色部の色味が、伸長前よりも薄く知覚される。図７（ｂ）に示すパターンでは、前記伸長により非着色部が伸展されることで、着色部の面積率が伸長前よりも低くなる。その結果、着色部の色味が伸長前よりも薄く知覚される。
【００３９】
図８（ａ）及び（ｂ）に示すパターンは、伸長に伴って図形若しくは記号が知覚可能となるとともに、伸長過程における着色部の色が変化するパターンである。この場合、着色部の色味は薄くなってもよく、濃くなってもよい。図８（ａ）に示すパターンでは、伸長前では圧縮されて形状を知覚できなかった図形が、伸長によって拡大されることで所定の形状に知覚可能となる。図８（ｂ）に示すパターンでは、伸長前では圧縮されて認識できなかった記号が、伸長によって拡大されることで所定の記号に認識可能となる。このようなパターンは、着色部の色の変化を色差（ΔＥ＊値）によって確認することができる。
【００４０】
二次加工方法で着色されるパターンとしては、上述した伸長前よりも伸長過程において着色部の色味が濃くなるパターン、伸長前よりも伸長過程において着色部の色味が薄くなるパターン、及び伸長に伴って図形若しくは記号が知覚可能となるとともに着色部の色が変化するパターンの何れか一方であってもよく、これらパターンを２種以上組み合わせたものであってもよい。
【００４１】
色の変化をより確実に知覚させる観点から、伸長部１５は、伸長前と伸長過程とのヘイズ値の差が、好ましくは２０以上、より好ましくは３０以上であり、また好ましくは９０以下、より好ましくは８０以下であり、また好ましくは２０以上９０以下、より好ましくは３０以上８０以下である。
上記と同様の観点から、伸長部１５は、伸長前と伸長過程との色差（ΔＥ＊値）が、好ましくは５以上、より好ましくは１０以上であり、また好ましくは８０以下、より好ましくは５０以下であり、また好ましくは５以上８０以下、より好ましくは１０以上５０以下である。
【００４２】
伸長部１５は、伸長前の色に対し伸長過程の色に変化が生じていればよく、色の変化が生じるタイミングは特に制限されない。例えば、伸長部１５は、伸長過程において、所定の引張強度に達した時点で色の変化が生じてもよく、所定の伸長長さに達した時点で色の変化が生じてもよい。また、伸長部１５は、複数の色に変化してもよい。例えば、引張強度や伸長長さに応じて、多段階に色が変化してもよい。
破断が近いことを作業者により確実に知らせる観点から、伸長部１５は、前述した〔伸長部を伸長させる方法〕により伸長させたときに、引張強度が該伸長部１５の破断強度Ｐｅの好ましくは７０％、より好ましくは６０％に達するまでに色の変化が生じる。この場合、伸長部１５は、引張強度が前記数値となった時点では既に色が変化している。
【００４３】
伸長部１５を有る程度伸長させた後に伸長限界が近いことを作業者により確実に知らせる観点から、伸長部１５の色の変化が生じる引張強度Ｐｂが、伸長部１５が伸長を開始する引張強度Ｐａと該伸長部１５の破断強度Ｐｅとの中間強度以上であることが好ましい。中間強度は、伸長部１５が伸長を開始する引張強度Ｐａの値と、該伸長部１５の破断強度Ｐｅの値の合計の１／２の強度である。
伸長部１５が伸長を開始する引張強度Ｐａと、伸長部１５の破断強度Ｐｅは、上述した〔伸長部を伸長させる方法〕により測定される。
伸長部１５の色の変化が生じる引張強度Ｐｂは、上述した〔伸長部を伸長させる方法〕の伸長過程において、伸長部の色の変化が生じる時点の引張強度とする。伸長部の色の変化が生じる時点とは、伸長開始前の伸長部１５と、伸長過程における伸長部１５とのヘイズ値（ＪＩＳ  Ｋ７１０５）の差が２０となる時点、又は伸長開始前の伸長部１５と、伸長過程における伸長部１５との色差（ΔＥ＊値）が５となる時点である。
【００４４】
廃棄用テープ１０を伸長し易くし、且つ意図せず伸長することを防止する観点から、伸長部１５が伸長を開始する引張強度Ｐａは、好ましくは１．０Ｎ以上、より好ましくは３．０Ｎ以上であり、また好ましくは６．５Ｎ以下、より好ましくは５．０Ｎ以下であり、また好ましくは１．０Ｎ以上６．５Ｎ以下、より好ましくは３．０Ｎ以上５．０Ｎ以下である。
作業者に廃棄用テープ１０を十分に伸長させ、且つ過度の伸長による破断をより抑制する観点から、伸長部１５は、前述した〔伸長部を伸長させる方法〕により伸長させたときに、引張強度が１３Ｎに達するまでに色の変化が生じることが好ましい。上記と同様の観点から、伸長部１５の色の変化が生じる引張強度Ｐｂは、好ましくは８Ｎ以上、より好ましくは１２Ｎ以上であり、また好ましくは１８Ｎ以下、より好ましくは１５Ｎ以下であり、また好ましくは８Ｎ以上１８Ｎ以下、より好ましくは１２Ｎ以上１５Ｎ以下である。
伸長部１５の強度を確保する観点から、伸長部１５の破断強度Ｐｅは、好ましくは２０Ｎ以上、より好ましくは２５Ｎ以上であり、また好ましくは５０Ｎ以下、より好ましくは４５Ｎ以下であり、また好ましくは２０Ｎ以上５０Ｎ以下、より好ましくは２５Ｎ以上４５Ｎ以下である。
【００４５】
おむつに巻き付ける長さをより確実に確保する観点から、伸長部１５は、好ましくは１５０ｍｍ以上、より好ましくは２００ｍｍ以上、さらに好ましくは２５０ｍｍ以上に伸長可能である。この伸長可能な長さは、伸長部１５を伸長させ得る最大長さである。この最大長さを始めとする伸長部１５の伸長長さは、該伸長部の両端部にある固定部又は止着部との接合領域を含む長さであり、後述する〔伸長部の色が変化する伸長長さの測定方法〕により測定される。
また、十分に伸長されたことを作業者に知らせ、過度に伸長させることをより抑制する観点から、伸長部１５が１５０ｍｍ以上に伸長可能である場合、伸長部１５は、伸長長さが１２０ｍｍに達するまでに色の変化が生じていることが好ましい。
【００４６】
伸長部を過度に伸長させることをより抑制する観点から、伸長部１５が１５０ｍｍ以上に伸長可能である場合、伸長部の色が変化する伸長長さは、好ましくは１２０ｍｍ以上、より好ましくは１５０ｍｍ以上、さらに好ましくは１８０ｍｍ以上である。
【００４７】
〔伸長部の色が変化する伸長長さの測定方法〕
伸長部１５の伸長長さ及び色が変化する伸長長さは、以下の方法により測定される。
三つ折り状態の廃棄用テープについて、伸長部を固定部から剥離し、三つ折り状態を解除した展開状態にする。次いで、廃棄用テープの長手方向を引張方向に一致させ、引張試験機（例えば株式会社  島津製作所社製、機種「AUTOGRAPH AG-X」）のチャック端部が伸長部と固定部又は止着部それぞれとの接合箇所に位置するように取り付ける。次いで、３００ｍｍ／ｍｉｎの速度で引っ張り、引張距離に伴なって変化する引張強度を測定する。この伸長過程において、引張強度の第一極大点を示した時点を伸長部の「伸長開始」時とする。第一極大点が明確に判らない場合や、観察されない場合は伸度３０％から７０％間の伸長時の最大荷重を第一極大点強度とみなす。また、引張距離に伴なって変化する引張強度の最大値を破断強度とし、該破断強度を示した時点を伸長部の「破断時」とし、破断時の伸度を「伸度１００％」とする。この方法で伸長部を伸長させた過程における、伸長部の長さを伸長長さとする。また、前記過程において、伸長部１５の色に変化が生じる時点の引張距離と、伸長前の伸長部１５の長さとの合計を、伸長部１５の色が変化する伸長長さとする。即ち、本測定方法において伸長部１５の色の変化が生じる時点の、伸長部１５の全長である。この伸長部の色の変化が生じる時点は、伸長開始前の伸長部１５と、本測定方法で伸長される伸長部１５とのヘイズ値（ＪＩＳ  Ｋ７１０５）の差が２０となる時点、又は伸長開始前の伸長部１５と、本測定方法で伸長される伸長部１５との色差（ΔＥ＊値）が５となる時点である。
【００４８】
伸長時、破断する長さに近づいたことを作業者に知らせて、伸長部をより適度に伸長させる観点から、上述の〔伸長部の色が変化する伸長長さの測定方法〕で伸長させたときの伸長部１５の伸長過程を、伸長開始から最大長さの２／３に伸長する第１段階と、該最大長さの２／３から該最大長さに伸長する第２段階とに区分したときに、該第２段階は、第１段階より色の変化量が大きいことが好ましい。即ち、伸長前と第２段階との色の差が、伸長前と第１段階との色の差より大きいことが好ましい。また、本明細書において「色の変化量」は、比較する２つの対象のヘイズ値の差又は色差（ΔＥ＊値）である。第１段階及び第２段階は、上述の〔伸長部の色が変化する伸長長さの測定方法〕で伸長させた、伸長部の伸長長さにより規定される。
【００４９】
上記の効果をより確実に奏させる観点から、色の変化量をヘイズ値の差で表す場合、伸長前と第２段階とのヘイズ値の差をＨ２とし、伸長前と第１段階とのヘイズ値の差をＨ１としたとき、Ｈ２はＨ１よりも大きいことが好ましい。この場合、前記Ｈ２と前記Ｈ１との差は、好ましくは１０以上、より好ましくは１５以上であり、また好ましくは９０以下、より好ましくは８０以下であり、また好ましくは１０以上９０以下、より好ましくは１５以上８０以下である。
上記と同様の観点から、色の変化量を色差（ΔＥ＊値）で表す場合、伸長前と第２段階との色差（ΔＥ＊値）をＣ２とし、伸長前と第１段階との色差（ΔＥ＊値）をＣ１としたとき、Ｃ２はＣ１よりも大きいことが好ましい。この場合、前記Ｃ２と前記Ｃ１との差は、好ましくは３以上、より好ましくは５以上であり、また好ましくは８０以下、より好ましくは５０以下であり、また好ましくは３以上８０以下、より好ましくは５以上５０以下である。
前記色の変化量は、ヘイズ値の差及び色差（ΔＥ＊値）の何れか一方が上記の範囲内であることが好ましい。
【００５０】
上記と同様の観点から、伸長部１５は、前記第１段階で、色の変化が生じないことが好ましい。即ち、伸長部１５は、伸長開始から最大長さの２／３に伸長するまでは、色の変化が生じないことが好ましい。
本明細書において「色の変化が生じない」とは、前記条件（１）及び（２）におけるヘイズ値及び色差（ΔＥ＊値）の双方が上述した所定値未満であることを意味する。なお、色の変化が二次加工方法で着色されるパターンに起因するものであり、上述した伸長に伴って図形若しくは記号が知覚可能となるとともに着色部の色が変化するパターンを含む場合、「色の変化が生じない」とは、色差（ΔＥ＊値）が上述した所定値未満であることを意味する。
【００５１】
伸長過程における最大長さ、即ち伸長部１５を伸長させ得る最大長さは、上述の〔伸長部の色が変化する伸長長さの測定方法〕において、引張強度が最大値、即ち破断強度を示した時点の伸長部１５の全長である。
例えば、上述の〔伸長部の色が変化する伸長長さの測定方法〕における伸長過程において、伸長部１５の最大長さが１５０ｍｍである場合、伸長部１５が伸長開始から１００ｍｍまで伸長する段階が第１段階であり、１００ｍｍから１５０ｍｍに伸長する段階が第２段階である。
【００５２】
伸長部を十分に伸長させて、おむつを廃棄用テープに巻き付ける作業を容易にする観点から、伸長部１５は、伸長前の長さの好ましくは４倍以上、より好ましくは５倍以上、さらに好ましくは６倍以上の長さに伸長可能であり、また好ましくは１２倍以下、より好ましくは１０倍以下、さらに好ましくは８倍以下の長さに伸長可能であり、また好ましくは４倍以上１２倍以下、より好ましくは５倍以上１０倍以下、さらに好ましくは６倍以上８倍以下の長さに伸長可能である。この伸長部１５の伸長可能な長さは、上述の〔伸長部の色が変化する伸長長さの測定方法〕により測定される破断強度を示した時点の伸長部１５の全長である。
【００５３】
また、伸長部を破断させることなく十分に伸長させる観点から、伸長部１５は、伸長前の長さの４倍以上に伸長可能である場合、伸長部の色が変化する伸長長さが、伸長前の長さの２倍以上の長さであることが好ましく、３倍以上の長さであることがより好ましい。
【００５４】
上記と同様の観点から、伸長部１５は、伸長前の長さの４倍以上に伸長可能である場合、上述の〔伸長部の色が変化する伸長長さの測定方法〕で伸長させたときの伸長部１５の伸長過程を、伸長開始から伸長前の長さの３倍の長さに伸長する３倍伸長段階と、伸長前の長さの３倍の長さから４倍の長さに伸長する４倍伸長段階とに区分したときに、該４倍伸長段階は、３倍伸長段階より色の変化量が大きいことが好ましい。即ち、３倍伸長段階と４倍伸長段階との色の差が、伸長前と３倍伸長段階との色の差より大きいことが好ましい。３倍伸長段階及び４倍伸長段階は、上述の〔伸長部の色が変化する伸長長さの測定方法〕で伸長させた、伸長部の伸長長さにより規定される。
【００５５】
上記の効果をより確実に奏させる観点から、色の変化量をヘイズ値の差で表す場合、４倍伸長段階のヘイズ値の差をＨ４とし、３倍伸長段階のヘイズ値の差をＨ３としたとき、Ｈ４はＨ３よりも大きいことが好ましい。この場合、前記Ｈ４と前記Ｈ３との差は、好ましくは１０以上、より好ましくは１５以上であり、また好ましくは９０以下、より好ましくは８０以下であり、また好ましくは１０以上９０以下、より好ましくは１５以上８０以下である。
上記と同様の観点から、色の変化量を色差（ΔＥ＊値）で表す場合、３倍伸長段階と４倍伸長段階との色差（ΔＥ＊値）をＣ４とし、伸長前と３倍伸長段階との色差（ΔＥ＊値）をＣ３としたとき、Ｃ４はＣ３よりも大きいことが好ましい。この場合、前記Ｃ４と前記Ｃ３との差は、好ましくは３以上、より好ましくは５以上であり、また好ましくは８０以下、より好ましくは５０以下であり、また好ましくは３以上８０以下、より好ましくは５以上５０以下である。
前記色の変化量は、ヘイズ値の差及び色差（ΔＥ＊値）の何れか一方が上記の範囲内であることが好ましい。
また、上記と同様の観点から、前記３倍伸長段階で、色の変化が生じないことが好ましい。
【００５６】
廃棄用テープ１０は巻き上げたおむつ１の外面に巻き付けられる。伸長部１５の色の変化をより知覚し易くする観点から、色の変化が生じた伸長部１５とおむつ１の外面との色の差は、色の変化が生じる前の伸長部１５とおむつ１の外面との色の差より大きいことが好ましい。この場合、伸長部１５の色は、おむつ１の外面の横方向Ｙの中央部の色と比較する。
上記と同様の観点から、色の変化が生じる前の伸長部１５は、おむつ１の外面における固定部１２の近傍と色が同一又は類似していることが好ましく、おむつ１の外面における固定部１２の幅方向Ｙ１の両隣に位置する部分と色が同一又は類似していることがより好ましい。前記外面における固定部１２の近傍とは、該外面における固定部用粘着部１４を介して固定部１２と接合された部分の周辺域である。
また、上記と同様の観点から、色の変化が生じた伸長部１５は、固定部１２、止着部１８又は摘まみ片２１の色と同一又は類似していることが好ましい。
なお、色が同一又は類似とは、両者のヘイズ値の差が２０未満であるか、又は両者の色差が５．０未満である。
【００５７】
廃棄用テープを引っ張る際に、おむつ１外面からの固定部１２の剥離を抑制する観点から、伸長部１５が伸長を開始する引張強度Ｐａは、おむつ１と固定部１２との間の剥離強度Ｐｇより低いことが好ましい。上記の効果をより確実に奏させる観点から、伸長部１５が伸長を開始する引張強度Ｐａに対するおむつ１と固定部１２との間の剥離強度Ｐｇの比率（Ｐｇ／Ｐａ）は、好ましくは３以上、より好ましくは４以上であり、また好ましくは８以下、より好ましくは７以下であり、また好ましくは３以上８以下、より好ましくは４以上７以下である。伸長部１５が伸長を開始する引張強度Ｐａは、前述した〔伸長部を伸長させる方法〕により測定される。
【００５８】
おむつ１と固定部１２との間の剥離強度Ｐｇは、以下の方法により測定される。
〔おむつと固定部との間の剥離強度の測定方法〕
おむつにおける三つ折り状態の廃棄用テープについて、三つ折り状態を解除した展開状態にする。次いで、廃棄用テープの長手方向を引張方向に一致させて、固定部とおむつの外面を形成するシートを、テンシロン引張試験機（例えば株式会社  島津製作所社製、機種「AUTOGRAPH AG-X」）のチャック間に取り付ける。この取り付けは、廃棄用テープ側は伸長部の接合箇所以外の部分をチャックに取り付け、おむつ側は縦方向において固定部の股下部側の端部から股下部側へ１０ｍｍ離間した位置をチャックに取り付ける。チャック間距離は５０ｍｍとする。次いで、３００ｍｍ／ｍｉｎの速度で伸長させ、おむつの外面から固定部を引き剥がし、その過程における引張強度の最大値を、おむつと固定部との間の剥離強度とする。
【００５９】
おむつ１は、その厚み方向内側に吸収性コア４１が存在する高剛性領域と、該高剛性領域に比して低剛性である低剛性領域とを有している。また、おむつ１は、該おむつ１の周縁域に、ウエストギャザーＷＧや、レッグギャザーＬＧが形成されている（図１参照）。周縁域とは、吸収体４０のウエスト端部側の領域をいう。ウエストギャザーＷＧや、レッグギャザーＬＧは、その伸縮性を良好にする観点から、低剛性領域に形成されることが多い。
伸長部１５や止着部１８に安定して引張力がかかるようにする観点から、固定部１２は、少なくともその一部が、低剛性領域よりも内側に位置する高剛性領域に配されていることが好ましい。この場合、固定部１２はその全体が高剛性領域に配されていてもよい。「低剛性領域よりも内側」とは、低剛性領域に比して縦方向Ｘにも横方向Ｙにも内方に位置することを意味する。廃棄用テープ１０が高剛性領域に配される態様として、例えば、固定部１２の長手方向内方側が吸収性コア４１と重なっている態様が挙げられる。また、図９に示すように、固定部１２はその全体が吸収性コア４１と重なるように配されていてもよい。
【００６０】
前述したように、おむつ１は、上述した弾性部材に加え、防漏カフ６において縦方向Ｘに伸縮する弾性部材６２も有している。このような弾性部材等によって縦方向Ｘや横方向Ｙ等の所定の方向に伸縮する部分を、以下、伸縮部ともいう。
おむつ１の外面には、伸縮部の伸縮性に起因する凹凸が形成されることがあり、このような凹凸が形成された部位に廃棄用テープを配すると、意図せず剥離してしまう虞がある。廃棄用テープ１０をおむつ１の外面に確実に固定する観点から、固定部１２は、おむつ１の平面視において、伸縮部と重ならない位置に廃棄用テープ１０の固定部１２が位置していることが好ましい。このような態様として、縦方向Ｘにおいて、固定部１２の股下部Ｃ側の端部１２ａが、縦方向Ｘに伸縮する伸縮部よりウエスト開口部１Ｗの開口端５０側に位置していることが挙げられる（図２参照）。この場合、固定部１２の股下部Ｃ側の端部１２ａは、背側部Ｂにおいて、カフ弾性部材６２の背側部Ｂ側の端部及びレッグ開口部に沿って配された弾性部材５２の背側部Ｂ側の端部よりも、ウエスト開口部１Ｗの開口端５０側に配されている。即ち、縦方向Ｘにおいて、固定部１２の股下部Ｃ側の端部１２ａと背側部Ｂのウエスト開口端５０との間の長さＬ１０は、カフ弾性部材６２と該ウエスト開口端５０との間の長さＬ１２、及びレッグ開口部に配された弾性部材５２と該ウエスト開口端５０との間の長さＬ１４に比して短い（図２参照）。
【００６１】
廃棄用テープ１０とおむつ１の外面との接合をより確実にする観点から、固定部１２の股下部Ｃ側の端部１２ａと背側部Ｂのウエスト開口端５０との間の長さをＬ１０（図２参照）とし、カフ弾性部材６２と該ウエスト開口端５０との間の長さをＬ１２（図２参照）としたとき、Ｌ１０に対するＬ１２の比率（Ｌ１２／Ｌ１０）は、好ましくは１．０５以上、より好ましくは１．１以上であり、また好ましくは２．０以下、より好ましくは１．７５以下であり、また好ましくは１．０５以上２．０以下、より好ましくは１．１以上１．７５以下である。
上記と同様の観点から、レッグ開口部１Ｌに配された弾性部材５２と該ウエスト開口端５０との間の長さをＬ１４（図２参照）としたとき、Ｌ１０に対するＬ１４の比率（Ｌ１４／Ｌ１０）は、好ましくは１．１以上、より好ましくは１．２以上であり、また好ましくは２．５以下、より好ましくは２．２以下であり、また好ましくは１．１以上２．５以下、より好ましくは１．２以上２．２以下である。
【００６２】
伸長部１５が伸長可能であるためには、伸長部１５を構成するシート片１６として、適切な材料を選択すればよい。具体的には、これらシート片１６の構成材料として、例えば伸長可能なフィルムを用いることができる。そのようなフィルムとしては、例えば単一層フィルム、及び共押出しフィルムのような多層フィルムが挙げられる。また、伸長可能なフィルムを構成する材料としては、例えば線状低密度ポリエチレンなどのポリオレフィンが好ましい。また、ポリ塩化ビニル、エチレン−酢酸ビニル共重合体及びポリビニルアルコールからなる群から選択される少なくとも１種の材料も好ましい。更に、少なくとも５０％、より好ましくは少なくとも７０％の永久変形を有する材料を用いることも有利である。
【００６３】
固定部１２又は止着部１８を構成するシート片１３，１９としては、ポリオレフィン系、ポリエステル系、ポリアミド系やポリウレタン系の樹脂（２種以上の組合せも含む）からなる、樹脂性シート（プラスチックシート，フィルム等）、不織布、織布など、従来用いられていた公知のものを特に制限なく用いることができる。なお、固定部用シート片１３の構成材料が、伸長可能であったとしても、おむつ１の外面に固定されている部分においては、その伸長性は発現しない状態となっている。
【００６４】
伸長部１５と固定部１２とを剥離可能に接合する伸長部用粘着部１７や、止着部１８と伸長部１５とを剥離可能に接合する止着部用粘着部２０としては、例えばゴム系粘着剤及びアクリル系粘着剤が一般的に使用され、好ましくはゴム系粘着剤が使用される。ゴム系粘着剤としては、例えばスチレン−ブタジエンブロック共重合体や水添スチレン−ブタジエンブロック共重合体等の合成ゴム、又はこれら合成ゴムと樹脂とのブレンド等が挙げられる。また、ヒートシール、ホットメルト系粘着剤、メルトブロー状又は繊維状の粘着剤若しくは接着剤等からなる粘着剤を用いてもよい。
【００６５】
伸長部用粘着部１７は、伸長部用シート片１６の第１面１６ａの全面に形成されていてもよい。また、止着部用粘着部２０は、止着部用シート片１９の第２面１９ｂの全面に形成されていてもよい。これら粘着部１７，２０はそれぞれ間欠的に形成されていてもよい。この場合、上述した粘着剤を間欠的に塗布することにより、これら粘着部１７，２０を間欠的に形成することができる。
【００６６】
おむつ１の外面に設けられる廃棄用テープ１０は、伸長部用シート片１６の一方の端部側に固定部用シート片１３を、伸長部用シート片１６の他方の端部側に止着部用シート片１９を部分的に積層し、接着剤等の公知の方法を用いてその積層部分を接合して一体化することにより製造することができる。前記積層部分を形成する際、前述した延出部Ｅ１，Ｅ２が形成されるように、伸長部用シート片１６の他方の端部よりも、長手方向Ｘ１の内方に止着部用シート片１９を積層してもよい。また、伸長部用シート片１６の一方の端部よりも、長手方向Ｘ１の内方に固定部用シート片１３を積層してもよい。前記積層部分においては、前記の実施形態のように、シート片の一部を折り返した折り返し部を形成してもよい。
【００６７】
以上、本発明をその好ましい実施形態に基づき説明したが、本発明は前記実施形態に制限されない。例えば前記実施形態では、廃棄用テープ１０がおむつ１の背側部Ｂに設けられていたが、廃棄用テープ１０を設ける部位はこれに限られず、例えば腹側部Ａや股下部Ｃであってもよい。
また、前記実施形態では、廃棄用テープ１０は、おむつ１の横方向Ｙにおける略中央部に設けられていたが、廃棄用テープ１０を設ける部位はこれに限られず、例えばおむつ１の左右どちらかの側部域に設けられていてもよい。更に前記実施形態では、廃棄用テープ１０は、その長手方向Ｘ１がおむつ１の縦方向Ｘに一致するように設けられていたが、廃棄用テープ１０の向きはこれに限られず、例えば廃棄用テープ１０を、その長手方向Ｘ１が、おむつ１の横方向Ｙに一致するように設けてもよい。
また、前記実施形態では、止着部用シート片１９の他端に摘まみ片２１が接合されていたが、廃棄用テープ１０は、摘まみ片２１を具備しなくてもよい。
【００６８】
また、本発明のパンツ型着用物品は、幼児又は成人用のパンツ型使い捨ておむつの他、パンツ型の生理用ナプキン等であってもよい。
【００６９】
上述した実施形態に関し、本発明は更に以下のパンツ型使い捨ておむつを開示する。
＜１＞
ウエスト開口部及び一対のレッグ開口部を有し、着用状態において着用者の腹側に配される腹側部、股間部に配される股下部及び背側に配される背側部を備えたパンツ型使い捨ておむつであって、
前記使い捨ておむつの外面に、廃棄用テープが設けられており、
前記廃棄用テープは、前記使い捨ておむつの外面に固定されている固定部と、伸長部と、止着部とが、この順で該廃棄用テープの長手方向に沿って連結されているとともに、この順で積層された三つ折り状態になっており、
三つ折り状態になっている前記廃棄用テープは、前記止着部と前記伸長部との間が剥離可能に接合されているとともに、前記伸長部と前記固定部との間も剥離可能に接合されており、
前記伸長部は、三つ折り状態を解除した展開状態において前記廃棄用テープの長手方向に伸長可能であり、
前記伸長部は伸長開始後、破断する前に色の変化が生じるようになされている、パンツ型使い捨ておむつ。
【００７０】
＜２＞
止着部用粘着部が、三つ折り状態になっている前記廃棄用テープにおける前記止着部と前記伸長部との間を剥離可能に接合している、前記＜１＞に記載のパンツ型使い捨ておむつ。
＜３＞
前記伸長部の色の変化は、伸長開始前の該伸長部と、伸長過程における該伸長部とのヘイズ値（ＪＩＳ  Ｋ７１０５）の差が２０以上である、前記＜１＞又は＜２＞に記載のパンツ型使い捨ておむつ。
＜４＞
前記伸長部は、伸長前と伸長過程とのヘイズ値の差が、２０以上、好ましくは３５以上であり、また９０以下、好ましくは８０以下である、前記＜３＞の何れか１に記載のパンツ型使い捨ておむつ。
＜５＞
前記伸長部の色の変化は、伸長開始前の該伸長部と、伸長過程における該伸長部との色差（ΔＥ＊値）が５以上である、前記＜１＞又は＜２＞に記載のパンツ型使い捨ておむつ。
＜６＞
前記伸長部は、伸長前と伸長過程との色差（ΔＥ＊値）が、５以上、好ましくは１０以上であり、また８０以下、好ましくは５０以下である、前記＜５＞に記載のパンツ型使い捨ておむつ。
＜７＞
前記伸長部を構成する部材として、該伸長部の伸長が刺激となって色が変化する材質を用いる、前記＜１＞〜＜６＞の何れか１に記載のパンツ型使い捨ておむつ。
＜８＞
前記伸長部を構成する部材として、伸長に伴って着色を有する着色部の配置や面積率が変化するパターンで着色された部材を用いる、前記＜１＞〜＜６＞の何れか１に記載のパンツ型使い捨ておむつ。
＜９＞
前記伸長部は、引張強度が該伸長部の破断強度の７０％、好ましくは６０％に達するまでに前記色の変化が生じる、前記＜１＞〜＜８＞の何れか１に記載のパンツ型使い捨ておむつ。
＜１０＞
前記伸長部の色の変化が生じる引張強度が、前記伸長部が伸長を開始する引張強度と該伸長部の破断強度との中間強度以上である、前記＜１＞〜＜９＞の何れか１に記載のパンツ型使い捨ておむつ。
【００７１】
＜１１＞
前記伸長部が伸長を開始する引張強度が６．５Ｎ以下であり、
前記伸長部は、引張強度が１３Ｎに達するまでに前記色の変化が生じる、前記＜１＞〜＜１０＞の何れか１に記載のパンツ型使い捨ておむつ。
＜１２＞
前記伸長部が伸長を開始する引張強度Ｐａは、１．０Ｎ以上、好ましくは３．０Ｎ以上であり、また６．５Ｎ以下、好ましくは５．０Ｎ以下である、前記＜１＞〜＜１１＞の何れか１に記載のパンツ型使い捨ておむつ。
＜１３＞
前記伸長部の色が変化する引張強度Ｐｂは、８Ｎ以上、好ましくは１２Ｎ以上であり、また１８Ｎ以下、好ましくは１５Ｎ以下である、前記＜１＞〜＜１２＞の何れか１に記載のパンツ型使い捨ておむつ。
＜１４＞
前記伸長部の破断強度Ｐｅは、２０Ｎ以上、好ましくは２５Ｎ以上であり、また５０Ｎ以下、好ましくは４５Ｎ以下である、前記＜１＞〜＜１３＞の何れか１に記載のパンツ型使い捨ておむつ。
＜１５＞
前記伸長部は、１５０ｍｍ以上、好ましくは２００ｍｍ以上、より好ましくは２５０ｍｍ以上に伸長可能である、前記＜１＞〜＜１４＞の何れか１に記載のパンツ型使い捨ておむつ。
＜１６＞
前記伸長部は１５０ｍｍ以上に伸長可能であり、
前記伸長部は、伸長長さが１２０ｍｍに達するまでに前記色の変化が生じる、前記＜１＞〜＜１５＞の何れか１に記載のパンツ型使い捨ておむつ。
＜１７＞
前記伸長部が１５０ｍｍ以上に伸長可能であり、
前記伸長部の色が変化する伸長長さは、１２０ｍｍ以上、好ましくは１５０ｍｍ以上、さらに好ましくは１８０ｍｍ以上である、前記＜１＞〜＜１６＞の何れか１に記載のパンツ型使い捨ておむつ。
＜１８＞
前記伸長部の伸長過程を、伸長開始から最大長さの２／３に伸長する第１段階と、該最大長さの２／３から該最大長さに伸長する第２段階とに区分したときに、該第２段階は、前記第１段階より前記色の変化量が大きい、前記＜１＞〜＜１７＞の何れか１に記載のパンツ型使い捨ておむつ。
＜１９＞
前記伸長部は、伸長過程において、伸長開始から最大長さの２／３に伸長する第１段階で、前記色の変化が生じない、前記＜１８＞に記載のパンツ型使い捨ておむつ。
＜２０＞
前記伸長部の色の変化量をヘイズ値の差で表し、伸長前と前記第２段階とのヘイズ値の差をＨ２とし、伸長前と前記第１段階とのヘイズ値の差をＨ１としたとき、該Ｈ２は該Ｈ１よりも大きく、
前記Ｈ２と前記Ｈ１との差は、１０以上、好ましくは１５以上であり、また９０以下、好ましくは８０以下である、前記＜１８＞又は＜１９＞に記載のパンツ型使い捨ておむつ。
【００７２】
＜２１＞
前記伸長部の色の変化量を色差（ΔＥ＊値）で表し、伸長前と前記第２段階との色差（ΔＥ＊値）をＣ２とし、伸長前と前記第１段階との色差（ΔＥ＊値）をＣ１としたとき、該Ｃ２は該Ｃ１よりも大きく、
前記Ｃ２と前記Ｃ１との差は、３以上、好ましくは５以上であり、また８０以下、好ましくは５０以下であり、また３以上８０以下、好ましくは５以上５０以下である、前記＜１８＞又は＜１９＞に記載のパンツ型使い捨ておむつ。
＜２２＞
前記伸長部は、伸長前の長さの４倍以上、好ましくは５倍以上、より好ましくは６倍以上の長さに伸長可能であり、また１２倍以下、好ましくは１０倍以下、より好ましくは８倍以下の長さに伸長可能である、前記＜１＞〜＜２１＞の何れか１に記載のパンツ型使い捨ておむつ。
＜２３＞
前記伸長部は、伸長前の長さの４倍以上に伸長可能であり、
前記伸長部の色が変化する伸長長さが、伸長前の長さの２倍以上、好ましくは３倍以上の長さである、前記＜１＞〜＜２２＞の何れか１に記載のパンツ型使い捨ておむつ。
＜２４＞
前記伸長部は、伸長前の長さの４倍以上の長さに伸長可能であり、
前記伸長部の色が変化する伸長長さが、伸長前の長さの３倍以上の長さである、前記＜１＞〜＜２３＞の何れか１に記載のパンツ型使い捨ておむつ。
＜２５＞
前記伸長部は、伸長前の長さの４倍以上の長さに伸長可能であり、該伸長部の伸長過程を、伸長開始から伸長前の長さの３倍の長さに伸長する３倍伸長段階と、伸長前の長さの３倍の長さから４倍の長さに伸長する４倍伸長段階とに区分したときに、該４倍伸長段階は、前記３倍伸長段階より前記色の変化量が大きい、前記＜１＞〜＜２４＞の何れか１に記載のパンツ型使い捨ておむつ。
＜２６＞
前記伸長部は、伸長前の長さの４倍以上の長さに伸長可能であり、該伸長部の伸長過程を、伸長開始から伸長前の長さの３倍の長さに伸長する３倍伸長段階と、伸長前の長さの３倍の長さから４倍の長さに伸長する４倍伸長段階とに区分したときに、前記３倍伸長段階で、前記色の変化が生じない、前記＜１＞〜＜２４＞の何れか１に記載のパンツ型使い捨ておむつ。
＜２７＞
前記伸長部は、伸長前と前記４倍伸長段階との色の差が、伸長前と前記３倍伸長段階との色の差より大きい、前記＜２５＞又は＜２６＞に記載のパンツ型使い捨ておむつ。
＜２８＞
前記色の変化が生じた前記伸長部と前記外面との色の差が、前記色の変化が生じる前の前記伸長部と前記外面との色の差より大きい、前記＜１＞〜＜２７＞の何れか１に記載のパンツ型使い捨ておむつ。
＜２９＞
前記色の変化が生じる前の前記伸長部は、前記外面における前記固定部の近傍と色が同一又は類似している、前記＜１＞〜＜２８＞の何れか１に記載のパンツ型使い捨ておむつ。
＜３０＞
前記止着部の前記伸長部が連結された側とは反対側の端部に、摘まみ片が連結しており、
前記色の変化が生じた前記伸長部は、前記固定部、前記止着部又は前記摘まみ片の色と同一又は類似している、前記＜１＞〜＜２９＞の何れか１に記載のパンツ型使い捨ておむつ。
【００７３】
＜３１＞
前記伸長部が伸長を開始する引張強度は、前記使い捨ておむつと前記固定部との間の剥離強度より低い、前記＜１＞〜＜３０＞の何れか１に記載のパンツ型使い捨ておむつ。
＜３２＞
前記伸長部が伸長を開始する引張強度Ｐａに対する前記使い捨ておむつと前記固定部との間の剥離強度Ｐｇの比率（Ｐｇ／Ｐａ）は、３以上、好ましくは４以上であり、また８以下、好ましくは７以下である、前記＜１＞〜＜３１＞の何れか１に記載のパンツ型使い捨ておむつ。
＜３３＞
前記固定部は、前記使い捨ておむつの周縁域に位置する低剛性領域よりも内側に位置する高剛性領域に配されている、前記＜１＞〜＜３２＞の何れか１に記載のパンツ型使い捨ておむつ。
＜３４＞
前記使い捨ておむつは、吸収性コアを備えており、
前記固定部の長手方向内方側が吸収性コアと重なっている、前記＜１＞〜＜３３＞の何れか１に記載のパンツ型使い捨ておむつ。
＜３５＞
前記腹側部から前記股下部を介して前記背側部に延びる方向を縦方向、及び該縦方向に直交する方向を横方向としたときに、前記使い捨ておむつは、前記縦方向に伸縮する伸縮部を有しており、
前記廃棄用テープは、前記背側部に設けられており、且つ前記固定部の前記股下部側の端部が、前記縦方向において、前記伸縮部より前記ウエスト開口部の開口端側に位置している、前記＜１＞〜＜３４＞の何れか１に記載のパンツ型使い捨ておむつ。
＜３６＞
肌対向面側に表面シートと、非肌対向面側に裏面シートとを有し、これら両シート間に吸収体を有する吸収性本体を備え、前記縦方向に沿う該吸収性本体の両側部それぞれに、該縦方向に沿って延びる防漏カフを備えており、
前記防漏カフは、カフ形成用シートと、前記縦方向に伸長状態で固定された１本又は複数本のカフ弾性部材とを含んで構成されており、
前記固定部の前記股下部側の端部と前記背側部の前記ウエスト開口部の開口端との間の長さをＬ１０とし、前記カフ弾性部材と前記開口端との間の長さをＬ１２としたとき、Ｌ１０に対するＬ１２の比率（Ｌ１２／Ｌ１０）は、１．０５以上、好ましくは１．１以上であり、また２．０以下、好ましくは１．７５以下である、前記＜３５＞に記載のパンツ型使い捨ておむつ。
＜３７＞
前記固定部の前記股下部側の端部と前記背側部の前記ウエスト開口部の開口端との間の長さをＬ１０とし、前記レッグ開口部に配された前記弾性部材と前記ウエスト開口部の開口端との間の長さをＬ１４としたとき、Ｌ１０に対するＬ１４の比率（Ｌ１４／Ｌ１０）は、１．１以上、好ましくは１．２以上であり、また２．５以下、好ましくは２．２以下である、前記＜３５＞又は＜３６＞に記載のパンツ型使い捨ておむつ。
【符号の説明】
【００７４】
１  パンツ型使い捨ておむつ
１Ｌ  レッグ開口部
１Ｗ  ウエスト開口部
２  表面シート
３  裏面シート
４  吸収性本体
１０  廃棄用テープ
１２  固定部
１３  固定部用シート片
１４  固定部用粘着部
１５  伸長部
１６  伸長部用シート片
１７  伸長部用粘着部
１８  止着部
１９  止着部用シート片
２０  止着部用粘着部
２１  摘まみ片
Ａ  腹側部
Ｂ  背側部
Ｃ  股下部
【図１】
2020168511.tif 000003
【図２】
2020168511.tif 000004
【図３】
2020168511.tif 000005
【図４】
2020168511.tif 000006
【図５】
2020168511.tif 000007
【図６】
2020168511.tif 000008
【図７】
2020168511.tif 000009
【図８】
2020168511.tif 000010
【図９】
2020168511.tif 000011